(57)【要約】【課題】ランプの口金をソケットにねじ込んでランプを照明器具に装着したときに、光源の向きを任意に調整できるようにする。【解決手段】ランプ１は、電球形のランプの光源に四角形状の有機ＥＬ２０を使用したものである。ランプ１は、口金をソケットにねじ込むことにより器具本体に取り付けられる。ランプ１は、発光押縁部１０、有機ＥＬ２０、発光背面部３０、電源蓋部４０、本体部５０、本体連結部６０を備えている。発光背面部３０は、回転軸部を有する。本体部５０は、回転軸部と当接する回動部を有する。本体連結部６０は、発光背面部３０と連結し、本体部５０を回転自在に保持する。【選択図】図３
2015162283.tif 000002
【特許請求の範囲】
【請求項１】
一端に口金が取り付けられ、一端から他端に向かう途中で外周面に第１段部が設けられた筒状の本体部と、
一端に前記本体部が対向し、他端に光源が装着可能な光源装着部と、
一端から他端まで貫通する挿入穴が形成され、一端から他端に向かう途中で前記挿入穴の内周面に前記第１段部に対応する第２段部が設けられ、前記挿入穴に前記本体部が挿入され、他端が前記光源装着部と連結され、前記第２段部が前記第１段部を前記光源装着部に向かって押圧することにより、前記本体部を前記光源装着部に対して回転自在に保持する保持部と
を備えることを特徴とするランプ。
【請求項２】
前記本体部は、前記光源と電線により接続される点灯装置を収納し、
前記光源装着部には、前記光源装着部の一端から他端まで貫通する、前記電線を通すための貫通孔が形成されるとともに、前記光源装着部の他端から突出する、前記光源と当接可能な突出部が設けられ、
前記本体部が前記光源装着部に対して回転する際には、前記光源装着部の他端と前記光源との間に形成された、前記突出部の高さ分の隙間の中で前記電線が移動することを特徴とする請求項１のランプ。
【請求項３】
前記本体部の他端には、前記電線を通すための開口部が形成され、
前記光源装着部には、前記光源装着部の一端から突出して前記開口部の周縁部と当接する環状の回転軸部が設けられ、
前記本体部が前記光源装着部に対して回転する際には、前記光源装着部の一端と前記開口部の周縁部との間に形成された、前記回転軸部の高さ分の隙間の中で前記電線が移動することを特徴とすることを特徴とする請求項２のランプ。
【請求項４】
前記本体部の他端には、凸部又は凹部が設けられ、
前記光源装着部の一端には、前記凸部の外壁面又は前記凹部の内壁面と当接して前記本体部の回転を一定の範囲内に制限する回転制限部が設けられたことを特徴とする請求項１から３のいずれかのランプ。
【請求項５】
前記光源装着部の他端には、前記光源として、発光面が四角形の光源が装着されることを特徴とする請求項１から４のいずれかのランプ。
【請求項６】
前記光源装着部の他端には、前記光源として、有機ＥＬが装着されることを特徴とする請求項１から５のいずれかのランプ。
【請求項７】
請求項１から６のいずれかのランプと、
前記ランプの本体部に取り付けられた口金がねじ込まれるソケットと
を備えることを特徴とする照明装置。
【発明の詳細な説明】
【技術分野】
【０００１】
本発明は、ランプ及び照明装置に関するものである。
【背景技術】
【０００２】
近年、照明器具の光源として使用されてきた白熱電球及びミニクリプトン電球並びに電球形蛍光ランプの代替として、ＬＥＤを光源とした電球形のランプであるＬＥＤランプがある。また、有機ＥＬを光源とした新たな照明器具もある。
【０００３】
例えば、四角形状の有機ＥＬを専用のソケットにスライドさせて取り付け、発光させる照明器具がある（例えば、特許文献１参照）。
【０００４】
従来のランプを用いた薄型ダウンライトは、照明器具の高さを抑えるためにランプが斜めに配置されている。その薄型ダウンライトに取り付け可能なＬＥＤランプがある（例えば、特許文献２参照）。このＬＥＤランプは、斜めに取り付けられた状態で下方を照射できるように発光面が傾斜している。ＬＥＤランプの口金をソケットにねじ込んでＬＥＤランプを器具本体に取り付けた後に、発光面が下方を向くようにＬＥＤランプの本体を回転させることができる。
【先行技術文献】
【特許文献】
【０００５】
【特許文献１】特開２０１３−５１０５３号公報
【特許文献２】国際公開第２０１２／０６０１０３号
【発明の概要】
【発明が解決しようとする課題】
【０００６】
特許文献１の照明器具には、専用のソケットが必要である。よって、特許文献１の技術を適用しても、四角形状の有機ＥＬを既存の照明器具に取り付けることはできない。
【０００７】
特許文献２の照明器具では、発光面が傾斜した状態で回転するが、傾斜角度を変更することはできない。よって、特許文献２の技術は、薄型ダウンライトには適用できても、通常のダウンライトには適用できない。
【０００８】
また、特許文献２の照明器具では、発光面が下方を向くようにＬＥＤランプの本体を回転させるが、これは、発光面が下方を向いていなければダウンライトとしての機能を果たせないからである。つまり、特許文献２の技術は、光源の向きを任意に調整するためにＬＥＤランプの本体を回転させるというものではない。
【０００９】
電球形のランプの光源を四角形状の有機ＥＬに置き換え、このランプを通常のダウンライトに取り付けるとすると、光源が円形状ではないため、光源の向き（四角形の向き）を考慮しなければならない。即ち、ランプの口金をソケットにねじ込んでランプを照明器具に装着したときに、光源の回転方向における位置が所望の位置になっていない可能性がある。
【００１０】
本発明は、例えば、ランプの口金をソケットにねじ込んでランプを照明器具に装着したときに、光源の向きを任意に調整できるようにすることを目的とする。
【課題を解決するための手段】
【００１１】
本発明の一の態様に係るランプは、
一端に口金が取り付けられ、一端から他端に向かう途中で外周面に第１段部が設けられた筒状の本体部と、
一端に前記本体部が対向し、他端に光源が装着可能な光源装着部と、
一端から他端まで貫通する挿入穴が形成され、一端から他端に向かう途中で前記挿入穴の内周面に前記第１段部に対応する第２段部が設けられ、前記挿入穴に前記本体部が挿入され、他端が前記光源装着部と連結され、前記第２段部が前記第１段部を前記光源装着部に向かって押圧することにより、前記本体部を前記光源装着部に対して回転自在に保持する保持部とを備える。
【発明の効果】
【００１２】
本発明では、ランプの保持部の挿入穴にランプの本体部が挿入され、保持部がランプの光源装着部と連結され、保持部が本体部を光源装着部に対して回転自在に保持する。このため、本発明によれば、ランプの口金をソケットにねじ込んでランプを照明器具に装着したときに、光源の向きを任意に調整することが可能となる。
【図面の簡単な説明】
【００１３】
【図１】実施の形態１に係るランプの斜視図。
【図２】実施の形態１に係るランプの斜視図。
【図３】実施の形態１に係るランプの分解斜視図。
【図４】実施の形態１に係るランプの分解斜視図。
【図５】実施の形態１に係るランプの発光押縁部の正面図。
【図６】実施の形態１に係るランプの発光押縁部の側面図。
【図７】実施の形態１に係るランプの発光押縁部の背面図及びＡ−Ａ断面図。
【図８】実施の形態１に係るランプの発光背面部の正面図。
【図９】実施の形態１に係るランプの発光背面部の側面図。
【図１０】実施の形態１に係るランプの発光背面部の背面図。
【図１１】実施の形態１に係るランプの電源蓋部の正面図。
【図１２】実施の形態１に係るランプの電源蓋部の側面図。
【図１３】実施の形態１に係るランプの電源蓋部の背面図。
【図１４】実施の形態１に係るランプの本体部の正面図。
【図１５】実施の形態１に係るランプの本体部の側面図。
【図１６】実施の形態１に係るランプの本体部の背面図。
【図１７】実施の形態１に係るランプの本体連結部の正面図。
【図１８】実施の形態１に係るランプの本体連結部の側面図。
【図１９】実施の形態１に係るランプの本体連結部の背面図。
【図２０】実施の形態１に係るランプの分解側面図。
【図２１】実施の形態１に係るランプのＢ−Ｂ断面図（部分断面図）。
【発明を実施するための形態】
【００１４】
以下、本発明の実施の形態について、図を用いて説明する。なお、実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１５】
実施の形態１．
以下では、本実施の形態に係る照明器具について、光源側（光の照射側）を前方（正面方向）、口金側を後方（背面方向）として説明する。前述したように、これらの方向は、説明の便宜上、そのように記しているだけであって、例えば、本実施の形態をダウンライトに適用するのであれば、その使用状態において光源側は下方（又は斜め下方）、口金側は上方（又は斜め上方）となる。
【００１６】
図１及び図２は、本実施の形態に係るランプ１の斜視図である。図３及び図４は、ランプ１の分解斜視図である。図１及び図３は、ランプ１を斜め前方かつ斜め下方からみた図である。図２及び図４は、ランプ１を斜め後方かつ斜め下方からみた図である。
【００１７】
ランプ１は、電球形のランプの光源に四角形状の有機ＥＬ２０を使用したものである。図示していないが、ランプ１は、Ｅ２６口金等の規格口金、或いは、その他任意の形状の口金をソケットにねじ込むことにより器具本体に取り付けられる。例えば、照明器具がダウンライトであれば、器具本体は天井等に埋め込んで設置される。照明器具が吊下型の器具であれば、器具本体は天井等から吊り下げて設置される。本実施の形態は、様々な形態の照明器具に適用することができる。即ち、器具本体は任意の場所に設置されてよい。
【００１８】
ランプ１は、前方から後方に向かって、発光押縁部１０、有機ＥＬ２０、発光背面部３０、電源蓋部４０、本体部５０、本体連結部６０を備えている。
【００１９】
発光押縁部１０は、正面視で略四角形状の枠部材である。発光押縁部１０の内側には、有機ＥＬ２０を納められるように、また、有機ＥＬ２０からの光が通過するように、断面が略四角形状の大きな開口が形成されている。
【００２０】
有機ＥＬ２０は、正面視で略四角形状の面光源である。有機ＥＬ２０は、前面が面状に発光する。図示していないが、有機ＥＬ２０の背面には、給電用の電線が接続される電気接続部が配設されている。
【００２１】
発光背面部３０は、正面視で略四角形状の板部材である。発光背面部３０の中心部には、断面が略円形状の開口が形成されている。発光背面部３０は、発光押縁部１０と嵌合する。発光背面部３０と発光押縁部１０とが有機ＥＬ２０を挟み込むことで、有機ＥＬ２０が保持される。
【００２２】
電源蓋部４０は、正面視で略円形状の板部材である。電源蓋部４０の中心部には、給電用の電線を挿通できるように、断面が略円形状の開口が形成されている。
【００２３】
本体部５０は、底面と頂点との両方に開口が形成された略円推形状の筒部材である。図示していないが、本体部５０の内部には、口金を介して供給される商用電源からの電力を受けて有機ＥＬ２０を点灯させる点灯装置が納められる。本体部５０の頂点側（後端）には、口金を螺合して取り付けられるようにタップ加工（ネジ切り加工）が施されている。
【００２４】
本体連結部６０は、正面視で略環形状の部材である。
【００２５】
以下では、ランプ１の各部の詳細について説明する。
【００２６】
図５は、発光押縁部１０の正面図である。図６は、発光押縁部１０の側面図である。図７は、発光押縁部１０の背面図及びＡ−Ａ断面図である。図６では、左側が前方、右側が後方である。
【００２７】
発光押縁部１０には、有機ＥＬ２０からの光を通過させて前方に照射するための開口部１１が形成されている。発光押縁部１０の枠の内側には、有機ＥＬ２０が収納される。発光押縁部１０は、発光背面部３０と嵌合する。これにより、有機ＥＬ２０が発光押縁部１０と発光背面部３０とで挟まれて保持される。
【００２８】
図７のＡ−Ａ断面図に示すように、発光押縁部１０の断面は、後方（図７のＡ−Ａ断面図の上側）から前方（図７のＡ−Ａ断面図の下側）に向かって３段の階段状（Ｌ字形と四角形とが組み合わさった形）になっており、１段目及び２段目が発光背面部３０に当接する段、３段目が有機ＥＬ２０に当接する段である。
【００２９】
図８は、発光背面部３０の正面図である。図９は、発光背面部３０の側面図である。図１０は、発光背面部３０の背面図である。図９では、左側が前方、右側が後方である。
【００３０】
発光背面部３０は、光源装着部の例である。
【００３１】
発光背面部３０の中央には、円形の電源開口孔３１が形成されている。電源開口孔３１は、発光背面部３０の後端から前端まで貫通する、電線を通すための貫通孔の例である。なお、電源開口孔３１の形状は、円形が望ましいが、矩形等、他の形状であってもよい。
【００３２】
発光背面部３０の前端（他端）には、発光押縁部１０に収納された有機ＥＬ２０を装着することができる。発光背面部３０の前面３２（前端の面）には、発光押縁部１０（具体的には、前述した階段状の部分の２段目）と当接するように突出した第１突出部３３と、有機ＥＬ２０の背面と当接するように突出した第２突出部３４が形成されている。第１突出部３３は、発光背面部３０の輪郭をなす四角形の各辺を内側にオフセットした位置に配設されている。第２突出部３４は、発光背面部３０の輪郭をなす四角形の対角線上に４つ等間隔に配置されている。第２突出部３４は、発光背面部３０の前端から突出する、有機ＥＬ２０と当接可能な突出部の例である。なお、第２突出部３４は、有機ＥＬ２０と当接可能であればよく、その形状、向き、位置、大きさ、数等は、図８に示したものに限らない。
【００３３】
発光背面部３０の後端（一端）は、本体部５０の前端に対向する。発光背面部３０の背面３５（後端の面）には、電源開口孔３１の周縁部から後方へ垂直に立ち上がった回転軸部３６が形成されている。回転軸部３６は、発光背面部３０の後端から環状に突出している。回転軸部３６の外周面の一部には、外側へ突出した第１係止部３７が１対形成されている。第１係止部３７は、本体部５０の回転を一定の範囲内に制限する回転制限部の例である。
【００３４】
発光背面部３０の背面３５は、回転軸部３６の周囲が凹んでおり、この部分は、本体連結部６０と当接する凹部３８になっている。凹部３８の内外周の中心は、回転軸部３６の外周の中心と一致している。凹部３８の内周の直径は、回転軸部３６の外周の直径と同じである。凹部３８の外周の直径は、回転軸部３６の外周の直径よりも大きいが、発光背面部３０の輪郭をなす四角形の辺の長さよりは小さい。凹部３８には、発光背面部３０の後端から前端まで貫通するネジ穴３９が４つ形成されている。なお、ネジ穴３９の位置や数等は、図示したものに限らず、適宜変更することができる。
【００３５】
図１１は、電源蓋部４０の正面図である。図１２は、電源蓋部４０の側面図である。図１３は、電源蓋部４０の背面図である。図１２では、左側が前方、右側が後方である。
【００３６】
電源蓋部４０の中央には、電線が通る円形の電源孔４１が形成されている。電源孔４１の直径は、発光背面部３０の電源開口孔３１の直径よりも小さい。
【００３７】
電源蓋部４０には、さらに、電源蓋部４０の後端（一端）から前端（他端）まで貫通するネジ穴４２が２つ形成されている。なお、ネジ穴４２の位置や数等は、図示したものに限らず、適宜変更することができる。
【００３８】
図１４は、本体部５０の正面図である。図１５は、本体部５０の側面図である。図１６は、本体部５０の背面図である。図１５では、左側が前方、右側が後方である。
【００３９】
本体部５０は、円錐形の筒状である。
【００４０】
本体部５０の後端（一端）は、円錐形の頂点に当たる部分であり、この部分には開口が形成されている。本体部５０の後端は、ネジ加工が施されてネジ部５５が形成されている。ネジ部５５には、図示していない口金が取り付けられる。
【００４１】
図示していないが、本体部５０は、有機ＥＬ２０と電線により接続される点灯装置を収納する。
【００４２】
本体部５０の前端（他端）は、発光背面部３０の後端に対向する。本体部５０の前端は、円錐形の底面に当たる部分であり、この部分には、電線を通すための開口部５１のほかに、電源蓋部４０を取り付けるためのネジ穴５４が２つ形成されている。開口部５１の大きさは、電源蓋部４０の大きさと略同じである。本体部５０の前面（前端の面）には、電源蓋部４０が取り付けられ、開口部５１が電源蓋部４０によって塞がれる。本体部５０の内部に納められた点灯装置は、電源蓋部４０の電源孔４１に挿通される電線を介して有機ＥＬ２０に電力を供給する。なお、ネジ穴５４の位置や数等は、図示したものに限らず、適宜変更することができる。
【００４３】
開口部５１の周縁部には、発光背面部３０の回転軸部３６及び第１係止部３７と前後方向に当接する環状の回動部５２が形成されている。回動部５２は、第１段部の例である。図１５に示すように、本体部５０の外周面には、本体部５０の後端から前端に向かう途中で第１段部（回動部５２）が設けられている。回動部５２の第１係止部３７と当接する面の一部には、前方へ突出した、断面が円弧状の第２係止部５３が１対形成されている。回動部５２は発光背面部３０の回転軸部３６に沿って回転するが、このとき、それぞれの第２係止部５３は、発光背面部３０の一方の第１係止部３７と回転方向に当接する位置から、他方の第１係止部３７と回転方向に当接する位置までの区間内を移動することができる。つまり、本体部５０は、この区間に対応する範囲内で回転することができる。第２係止部５３は、凸部の例である。本実施の形態では、発光背面部３０の回転制限部（第１係止部３７）が、この凸部（第２係止部５３）の外壁面と当接して本体部５０の回転を一定の範囲内に制限するが、発光背面部３０の回転制限部（第１係止部３７）は、凸部の代わりに本体部５０の前端に設けられた凹部の内壁面と当接して本体部５０の回転を一定の範囲内に制限してもよい。
【００４４】
図１７は、本体連結部６０の正面図である。図１８は、本体連結部６０の側面図である。図１９は、本体連結部６０の背面図である。図１８では、左側が前方、右側が後方である。
【００４５】
本体連結部６０は、保持部の例である。
【００４６】
本体連結部６０の中心には、本体連結部６０の後端（一端）から前端（他端）まで貫通する円形の挿入穴６１が形成されている。挿入穴６１の内周面には、溝部６３が形成されている。挿入穴６１は、溝部６３を境に前端側の直径が後端側の直径よりも大きくなっている。溝部６３は、第２段部の例である。図１７に示すように、挿入穴６１の内周面には、本体連結部６０の後端から前端に向かう途中で本体部５０の第１段部（回動部５２）に対応する第２段部（溝部６３）が設けられている。
【００４７】
本体連結部６０の前面（前端の面）には、発光背面部３０の凹部３８と当接する連結当接部６２が形成されている。連結当接部６２には、発光背面部３０を連結するためのネジ穴６４が４つ形成されている。なお、ネジ穴６４の位置や数等は、図示したものに限らず、適宜変更することができる。
【００４８】
挿入穴６１には、本体部５０が口金側より（即ち、挿入穴６１の前端側を入口として）挿入される。本体連結部６０の前端は、発光背面部３０と連結される。このとき、本体部５０の回動部５２が溝部６３に納まる（即ち、第１段部が第２段部と当接する）とともに、連結当接部６２が発光背面部３０の凹部３８に固定される。溝部６３（第２段部）が本体部５０の回動部５２（第１段部）を発光背面部３０に向かって押圧することにより、本体部５０が発光背面部３０に対して回転自在に保持される。
【００４９】
以下では、ランプ１の組み立てについて説明する。
【００５０】
図２０は、ランプ１の分解側面図である。図２１は、ランプ１のＢ−Ｂ断面図（部分断面図）である。図２１では、左側が前方、右側が後方である。
【００５１】
ランプ１は、図２０に示した（１）〜（４）の手順で組み立てられる。
（１）電源蓋部４０を本体部５０に取り付けて（ネジ７２が電源蓋部４０のネジ穴４２を通して本体部５０のネジ穴５４にねじ込まれる）、本体部５０の開口部５１を塞ぐ。
（２）発光背面部３０の回転軸部３６を本体部５０の回動部５２と当接させる。
（３）本体部５０を本体連結部６０の挿入穴６１に挿し込み、発光背面部３０を本体連結部６０に連結する（ネジ７１が発光背面部３０のネジ穴３９を通して本体連結部６０のネジ穴６４にねじ込まれる）。このとき、本体部５０の回動部５２（第１段部）が本体連結部６０の溝部６３（第２段部）と当接するため、本体部５０が発光背面部３０に対して回転可能に保持される。
（４）有機ＥＬ２０を収納した発光押縁部１０を発光背面部３０に取り付ける。このとき、有機ＥＬ２０は、電源蓋部４０の電源孔４１と発光背面部３０の電源開口孔３１とを順番に挿通した電線により本体部５０の内部の点灯装置と電気的に接続される。
【００５２】
図２１に示すように、発光背面部３０の前面３２と、発光背面部３０の第１突出部３３及び第２突出部３４の前面との間に生じる隙間（段差）Ｃにより、有機ＥＬ２０に接続される電線が有機ＥＬ２０の背面と発光背面部３０の前面３２とで押し潰されるのを防ぐことができる。つまり、本実施の形態では、本体部５０が発光背面部３０に対して回転する際に、少なくとも発光背面部３０の前端と有機ＥＬ２０との間に形成された、第２突出部３４の高さ分の隙間Ｃの中で電線が移動することができる。このため、有機ＥＬ２０の向きを回転により調整する際に、電線が押し潰されたり、引っ張られたり、電線にねじれが生じたりすることを防止できる。
【００５３】
また、本実施の形態では、本体部５０が発光背面部３０に対して回転する際に、少なくとも発光背面部３０の後端と本体部５０の開口部５１の周縁部との間に形成された、発光背面部３０の回転軸部３６の高さ分の隙間（段差）Ｄの中で電線が移動することができる。このため、有機ＥＬ２０の向きを回転により調整する際に、電線が押し潰されたり、引っ張られたり、電線にねじれが生じたりすることを防止できる。なお、本実施の形態では、電源蓋部４０を使用しているため、その分隙間Ｄの高さが減ってしまうが、それでも電源蓋部４０を発光背面部３０の前面３２よりも後方に配置することで、一定の隙間Ｄを確保している。
【００５４】
以上説明したように、本実施の形態では、ランプ１が、回転軸部３６を有した発光背面部３０と、回転軸部３６と当接する回動部５２を有した本体部５０と、発光背面部３０と連結し、本体部５０を回転自在に保持する本体連結部６０とを備えるため、角形状の光源の向きを容易に調整することが可能となる。
【００５５】
また、段差Ｃと段差Ｄにより、回転に伴う電線負荷を軽減することができる。
【００５６】
なお、本実施の形態では、ランプ１の光源として、発光面が四角形の有機ＥＬ２０を使用しているが、この有機ＥＬ２０に代えて、発光面が円形又はその他の形状の有機ＥＬ、或いは、発光面が任意の形状のＬＥＤ光源（例えば、複数のＬＥＤを拡散カバーで覆ったもの）等、他の種類の光源を使用してもよい。その場合、回転したときに、配光が変わっても光の照射方向が変わらない（或いは一定の範囲内での変化に留まる）光源を使用することが望ましい。そのような光源を使用することで、ランプ１の口金をソケットにねじ込んでランプ１を照明器具に装着したときに、光源の回転方向における位置（向き）を変えるだけで所望の配光を得ることができる。
【００５７】
以上、本発明の実施の形態について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【００５８】
１  ランプ、１０  発光押縁部、１１  開口部、２０  有機ＥＬ、３０  発光背面部、３１  電源開口孔、３２  前面、３３  第１突出部、３４  第２突出部、３５  背面、３６  回転軸部、３７  第１係止部、３８  凹部、３９  ネジ穴、４０  電源蓋部、４１  電源孔、４２  ネジ穴、５０  本体部、５１  開口部、５２  回動部、５３  第２係止部、５４  ネジ穴、５５  ネジ部、６０  本体連結部、６１  挿入穴、６２  連結当接部、６３  溝部、６４  ネジ穴、７１  ネジ、７２  ネジ。
【図１】
2015162283.tif 000003
【図２】
2015162283.tif 000004
【図３】
2015162283.tif 000005
【図４】
2015162283.tif 000006
【図５】
2015162283.tif 000007
【図６】
2015162283.tif 000008
【図７】
2015162283.tif 000009
【図８】
2015162283.tif 000010
【図９】
2015162283.tif 000011
【図１０】
2015162283.tif 000012
【図１１】
2015162283.tif 000013
【図１２】
2015162283.tif 000014
【図１３】
2015162283.tif 000015
【図１４】
2015162283.tif 000016
【図１５】
2015162283.tif 000017
【図１６】
2015162283.tif 000018
【図１７】
2015162283.tif 000019
【図１８】
2015162283.tif 000020
【図１９】
2015162283.tif 000021
【図２０】
2015162283.tif 000022
【図２１】
2015162283.tif 000023